(57)【特許請求の範囲】
【請求項１】
遊技球が入球可能な入賞口を有したベース部材と、
前記入賞口への遊技球の入球を規制する閉位置とその規制を解除する開位置との間を往復動可能に前記ベース部材に支持された開閉部材と、
前記開閉部材と一体に又は連動して回動する回動レバーと、
前記回動レバーに、その回動軸と平行に突出形成された連結突部と、
前記回動レバーの回動軸と直交する方向と平行に直動可能な直動出力部を有した直動駆動源と、
前記直動出力部に形成され、前記直動出力部の直動方向で対向した１対の対向面を有し、それら対向面の間に前記連結突部を受容した連結凹部とを備え、
前記直動出力部の直動を前記回動レバーの回動に変換し、前記開閉部材が前記入賞口を開閉する遊技機において、
前記連結凹部のうち一方の前記対向面には、前記直動出力部から前記回動レバーに力を伝達したときに、前記連結突部に当接して前記連結突部の摺接移動を許容することで、前記開閉部材の前記閉位置から前記開位置への移動を許容する摺接許容部と、前記連結凹部のうち他方の前記対向面には、前記回動レバーから前記直動出力部に力を伝達したときに、前記連結突部に当接して前記連結突部の摺接移動を禁止することで、前記開閉部材の前記閉位置から前記開位置への移動を禁止する不正禁止係合部とを備え、
遊技球が前面を流下可能な遊技板が設けられ、
前記入賞口は、前記遊技板の前面側に配置され、
前記開閉部材は、前記遊技板の前後方向に延びた前後水平回動軸を中心に回動すると共に、前記閉位置で起立姿勢になる一方、前記開位置で横に倒れた姿勢になり、
前記回動レバーは、前記開閉部材の後側に配置され、前記遊技板の後面と平行な横水平回動軸を中心に回動すると共に、前記横水平回動軸から前方に突出した第１アーム部と、前記横水平回動軸から上方又は下方に突出した第２アーム部とを有し、
前記直動出力部は、前記遊技板の前後方向に直動し、
前記連結突部は、前記第２アーム部から前記直動出力部に向かって前記横水平回動軸と平行な方向に突出し、
前記開閉部材の後面には、前記前後水平回動軸と平行な方向に突出し、前記開閉部材の回動によって上下に移動するレバー連結突起が備えられると共に、前記第１アーム部の先端部には、前記レバー連結突起を上下方向で挟持した１対の挟持対向壁が備えられたことを特徴とする遊技機。
【請求項２】
前記ベース部材には、前記回動レバー及び前記直動出力部を囲んだカバー部が備えられていることを特徴とする請求項１に記載の遊技機。
【発明の詳細な説明】
【技術分野】
【０００１】
本発明は、開閉部材によって入賞口への遊技球の入球を規制した状態と、その規制を解除した状態とに切替可能な遊技機に関する。
【背景技術】
【０００２】
従来、この種の遊技機として、例えば、上面開放の入賞口の両側に羽根形の開閉部材を左右対称に備え、それら開閉部材をソレノイド駆動によって開閉可能としたものが知られている（例えば、特許文献１参照）。
【先行技術文献】
【特許文献】
【０００３】
【特許文献１】特開２００６−４３３５６（図４、段落［００８２］）
【発明の概要】
【発明が解決しようとする課題】
【０００４】
しかしながら、上述した従来の遊技機では、針金等のツールを使用して開閉部材が不正に開放操作される場合があった。
【０００５】
本発明は、上記事情に鑑みてなされたもので、入賞口を開閉する開閉部材の不正開放操作を防ぐことが可能な遊技機の提供を目的とする。
【課題を解決するための手段】
【０００６】
上記目的を達成するためになされた請求項１の発明に係る遊技機は、遊技球が入球可能な入賞口を有したベース部材と、入賞口への遊技球の入球を規制する閉位置とその規制を解除する開位置との間を往復動可能にベース部材に支持された開閉部材と、開閉部材と一体に又は連動して回動する回動レバーと、回動レバーに、その回動軸と平行に突出形成された連結突部と、回動レバーの回動軸と直交する方向と平行に直動可能な直動出力部を有した直動駆動源と、直動出力部に形成され、直動出力部の直動方向で対向した１対の対向面を有し、それら対向面の間に連結突部を受容した連結凹部とを備え、直動出力部の直動を回動レバーの回動に変換し、開閉部材が入賞口を開閉する遊技機において、連結凹部のうち一方の対向面には、直動出力部から回動レバーに力を伝達したときに、連結突部に当接して連結突部の摺接移動を許容することで、開閉部材の閉位置から開位置への移動を許容する摺接許容部と、連結凹部のうち他方の対向面には、回動レバーから直動出力部に力を伝達したときに、連結突部に当接して連結突部の摺接移動を禁止することで、開閉部材の閉位置から開位置への移動を禁止する不正禁止係合部とを備え、遊技球が前面を流下可能な遊技板が設けられ、入賞口は、遊技板の前面側に配置され、開閉部材は、遊技板の前後方向に延びた前後水平回動軸を中心に回動すると共に、閉位置で起立姿勢になる一方、開位置で横に倒れた姿勢になり、回動レバーは、開閉部材の後側に配置され、遊技板の後面と平行な横水平回動軸を中心に回動すると共に、横水平回動軸から前方に突出した第１アーム部と、横水平回動軸から上方又は下方に突出した第２アーム部とを有し、直動出力部は、遊技板の前後方向に直動し、連結突部は、第２アーム部から直動出力部に向かって横水平回動軸と平行な方向に突出し、開閉部材の後面には、前後水平回動軸と平行な方向に突出し、開閉部材の回動によって上下に移動するレバー連結突起が備えられると共に、第１アーム部の先端部には、レバー連結突起を上下方向で挟持した１対の挟持対向壁が備えられたところに特徴を有する。
【０００７】
請求項２の発明は、請求項１に記載の遊技機において、ベース部材には、回動レバー及び直動出力部を囲んだカバー部が備えられているところに特徴を有する。
【発明の効果】
【０００８】
［請求項１の発明］
請求項１の構成では、開閉部材を閉位置から開位置に移動するには、通常は、直動駆動源の直動出力部を直動させることで、回動レバーを回動させる。このとき、回動レバーのうち回動軸と平行に突出した連結突部が、連結凹部のうち一方の対向面に備えた摺接許容部に当接して摺接移動が許容され、直動出力部の直動が回動レバーの回動に変換される。すると、その回動レバーと一体又は連動して開閉部材が閉位置から開位置に移動し、入賞口に対して遊技球が入賞し易くなる。これに対し、開閉部材を不正開放操作して回動レバーが開閉部材から回動力を受けると、回動レバーの連結突部が、連結凹部のうち他方の対向面に備えた不正禁止係合部に当接して摺接移動が禁止され、開閉部材が閉位置から開位置に移動することが禁止される。即ち、本発明の遊技機によれば、入賞口を開閉する開閉部材の不正開放操作を防ぐことができる。
【０００９】
また、請求項１の構成によれば、回動レバーが開閉部材と別部品になっていて横水平回動軸を中心に回動すると共に、その横水平回動軸から前方に突出して開閉部材に連結された第１アーム部と、横水平回動軸から上方又は下方に突出して直動出力部に連結された第２アーム部とを有した構造になっているので、開閉部材に対する直動駆動源の配置の自由度が高くなる。即ち、第１と第２のアーム部の長さを適宜設定して、開閉部材に対して前後方向及び上下方向の任意の位置に配置することができ、開閉部材に対する直動駆動源の配置の自由度が高くなる。
【００１０】
［請求項２の発明］
請求項２の構成によれば、回動レバー及び直動出力部を囲んだカバー部により、それら回動レバー及び直動出力部に対する不正操作が防がれる。
【図面の簡単な説明】
【００１１】
【図１】本発明の第１実施形態に係るパチンコ遊技機の正面図
【図２】始動入賞ユニットの斜視図
【図３】始動入賞ユニットの構成部品の後方斜視図
【図４】始動入賞ユニットの構成部品の前方斜視図
【図５】閉位置における可動翼片及び回動レバー等の前方斜視図
【図６】開位置における可動翼片及び回動レバー等の前方斜視図
【図７】閉位置における可動翼片及び回動レバー等の側面図
【図８】開位置における可動翼片及び回動レバー等の側面図
【図９】直動駆動源の分解斜視図
【図１０】可動翼片が閉位置にある場合の連結突部及び連結孔の側断面図
【図１１】可動翼片が開位置にある場合の連結突部及び連結孔の側断面図
【図１２】連結突部及び連結孔の拡大側断面図
【図１３】連結突部及び連結孔の拡大側断面図
【図１４】第２実施形態に係るプランジャ連結部材の斜視図
【図１５】可動翼片が閉位置にある場合の連結突部及び連結凹部の側断面図
【図１６】可動翼片が開位置にある場合の連結突部及び連結凹部の側断面図
【図１７】変形例に係る連結突部及び連結孔の拡大側断面図
【図１８】変形例に係る連結突部及び連結孔の拡大側断面図
【図１９】変形例に係る連結突部及び連結凹部の拡大側断面図
【図２０】変形例に係る連結突部及び連結凹部の拡大側断面図
【発明を実施するための形態】
【００１２】
［第１実施形態］
本発明に係る第１実施形態を、図１〜図１３に基づいて説明する。図１に示すように、本実施形態のパチンコ遊技機１０の遊技板１１には、ガイドレール１２で囲まれた略円形の遊技領域Ｒ１が備えられ、遊技板１１の前面側はガラス窓３９Ｗを有した前面枠３９によって覆われている。また、前面枠３９のうちガラス窓３９Ｗより上方には、図１に示すように左右に１対のスピーカー１３，１３が設けられている。また、前面枠３９のうちガラス窓３９Ｗより下方には、遊技球を貯留する為の上皿２６及び下皿２７が設けられている。上皿２６の右側方には、上皿用球排出ボタン２６Ｂが設けられている。この上皿用球排出ボタン２６Ｂを押圧操作することで、上皿２６から下皿２７に遊技球を排出することができる。
【００１３】
下皿２７の左側方には遊技ボタン２７Ｂが設けられると共に、右側方には下皿用球排出ボタン２７Ｃ、球貸し状態表示モニター２７Ｄ及び球貸し操作ボタン２７Ｅが設けられている。なお、遊技ボタン２７Ｂは、後述する液晶表示部２４Ｇの画像を選択等するために設けられている。また、下皿２７の下方に受箱（所謂、ドル箱）を配置して下皿用球排出ボタン２７Ｃを押圧操作することで、下皿２７に貯留された遊技球を受箱へと排出することができる。
【００１４】
遊技機１０の前面枠３９のうち右下角部には、操作ノブ２８が備えられている。操作ノブ２８を操作すると、上皿２６に貯留された遊技球が、順次、遊技領域Ｒ１の上部に打ち込まれ、それら遊技球が遊技領域Ｒ１を流下する。
【００１５】
遊技領域Ｒ１の内側上端寄り位置には、液晶表示部２４Ｇが備えられ、その液晶表示部２４Ｇの上方、左方及び下方に、遊技球が流下可能なスペースが確保されている。即ち、遊技領域Ｒ１のうち液晶表示部２４Ｇの下方スペースには、その左右方向の中央に、第１及び第２の始動入賞口１４Ａ，１４Ｂ、大入賞口１５及びアウト口１６が上から順番に並べて設けられ、左右両側部には、ガイドレール１２に沿って一般入賞口２０，２１及びサイドランプ２２がそれぞれ設けられている。液晶表示部２４Ｇの左側スペースには、始動ゲート１８と風車１９とが上下に並べて設けられている。その風車１９の下方には、サイドランプ２２と一体に、普通図柄表示部１７が設けられている。さらに、これら各種入賞口１４Ａ，１４Ｂ，１５，２０，２１，液晶表示部２４Ｇ等の役物以外に、遊技領域Ｒ１には、遊技球の流下方向をランダムに変化させるための障害釘（図示せず）が設けられている。
【００１６】
上記した一般入賞口２０，２１は、所謂、遊技板１１の前面から突出した部材上面に開放しており、遊技球が丁度１つ入球可能な大きさで上方に開口している。そして、各一般入賞口２０，２１に入った遊技球は、遊技板１１に設けた図示しない貫通孔を通って、遊技板１１の裏側に回収される。また、これら各一般入賞口２０，２１の内部には、図示しない球検出センサが備えられ、それら各球検出センサが遊技球を１球検出する度に、例えば４個の遊技球が賞球として上皿２６に払い出される。
【００１７】
液晶表示部２４Ｇには、通常、３つの左、中、右の特別図柄２３Ａ，２３Ｂ，２３Ｃが横並びに表示されている。これら各特別図柄２３Ａ，２３Ｂ，２３Ｃは、例えば、「０」〜「１１」の数字を表記した複数種類のもので構成されており、通常は、各特別図柄２３Ａ，２３Ｂ，２３Ｃごと、所定の種類のものが停止表示されている。そして、第１又は第２の始動入賞口１４Ａ，１４Ｂに遊技球が入賞して当否判定が行われ、これら３つの特別図柄２３Ａ，２３Ｂ，２３Ｃが、上下方向にスクロール表示され、所定時間後に、例えば、左、右、中の順で各特別図柄２３Ａ，２３Ｂ，２３Ｃが停止表示される。このとき、遊技の当否判定の結果が「大当たり」であれば、例えば、全ての特別図柄２３Ａ，２３Ｂ，２３Ｃが同じ図柄、即ち、ぞろ目になる。
【００１８】
また、液晶表示部２４Ｇにおいて特別図柄２３Ａ，２３Ｂ，２３Ｃが変動表示又は「大当たり状態」の最中に始動入賞口１４Ａ，１４Ｂに入賞した場合、その入賞球は保留球として最大で４個まで記憶され、その保留記憶数（保留球数）が、特別図柄２３Ａ，２３Ｂ，２３Ｃと共に液晶表示部２４Ｇに表示される。そして、特別図柄２３Ａ，２３Ｂ，２３Ｃが停止表示又は「大当たり状態」が終了すると、その保留記憶数が１つ減らされて再び、特別図柄２３Ａ，２３Ｂ，２３Ｃが変動表示を経て停止表示され、遊技の当否判定結果が表示される。
【００１９】
大入賞口１５は、横長矩形に形成されて、常には、開閉扉１５Ｔにて閉塞されている。遊技機１０が「大当たり状態」になると、開閉扉１５Ｔが所定期間に亘って前側に倒れる。これにより、大入賞口１５が開放され、開閉扉１５Ｔを案内にして、大入賞口１５に遊技球が入賞可能となる。また、大入賞口１５に入った遊技球は、遊技板１１に設けた図示しない貫通孔を通って、遊技板１１の裏側に回収される。
【００２０】
ここで、開閉扉１５Ｔが、開放してから閉じるまでの間を「ラウンド」と称すると、１つのラウンドは、開閉扉１５Ｔの開放時間が３０秒に達したか、又は、大入賞口１５に遊技球が１０個入賞したかの何れかの条件が先に満たされた場合に終了する。また、「大当たり状態」は、最大で、例えば１５ラウンドまで継続される。なお、大入賞口１５に遊技球が入賞すると、例えば、１５個の遊技球が上皿２６に払い出される。
【００２１】
始動ゲート１８は、遊技球が潜って通過可能な門形構造をなし、通過した遊技球は始動ゲート１８に内蔵された球検出センサ（図示せず）によって検出される。この検出信号に基づいて、普通図柄表示部１７において図柄が変動表示される。具体的には、普通図柄表示部１７は、７セグメントＬＥＤで構成され、その７セグメントＬＥＤにて「０」〜「９」までの数字からなる数字図柄が所定期間に亘って変動表示された後、所定の数字図柄が停止表示される。
【００２２】
第１及び第２の始動入賞口１４Ａ，１４Ｂは上下に並べられ、下側に配置された第２の始動入賞口１４Ｂの左右両側には可動翼片１４Ｃ，１４Ｃ（本発明に係る「開閉部材」に相当する）が備えられている。図２には、それら第１及び第２の始動入賞口１４Ａ，１４Ｂ及び可動翼片１４Ｃ，１４Ｃを前端部に備えた始動入賞ユニット４０が示されている。以下、始動入賞ユニット４０について詳説する。
【００２３】
始動入賞ユニット４０は、ベース部材４１に複数の可動部品を組み付けたユニット構造になっている。そのベース部材４１には、先端寄り位置にベースプレート４２が備えられ、そのベースプレート４２の前面側に始動入賞口１４Ａ，１４Ｂ及び可動翼片１４Ｃ，１４Ｃが設けられている。そして、遊技板１１（図１参照）に形成された役物装着孔（図示せず）に対し、遊技板１１の前面側から始動入賞ユニット４０が挿入されて、ベースプレート４２が遊技板１１の前面に重ねられた状態でビス止めされている。これにより、上述の如く遊技領域Ｒ１内に始動入賞口１４Ａ，１４Ｂが配置されている。
【００２４】
ベースプレート４２の上端部には、左右方向の中央から樋形状の上端膨出部４３が前方に突出している。そして、上端膨出部４３の上面開口が第１の始動入賞口１４Ａになっている。この第１の始動入賞口１４Ａは、遊技球が１度に１つだけ入球可能な大きさになっている。
【００２５】
ベースプレート４２には、上端膨出部４３の下側位置からベースプレート４２の下端寄り位置に亘る範囲に、球通過孔４２Ａが貫通形成されている。球通過孔４２Ａのうち上側部分は、遊技球が１つ通過可能な幅をなし、球通過孔４２Ａのうち図示しない下側部分は、上側部分より幅広になっている。そして、この球通過孔４２Ａの一部を前方から覆うようにベースプレート４２の前面には、球誘導部材４４が固定されている。
【００２６】
球誘導部材４４は、ベースプレート４２に直交した溝形梁４５（図３参照）の前端に、ベースプレート４２と平行な板形状のフロントプレート４６を一体形成した構造になっている。そのフロントプレート４６は、図３に示すように、溝形梁４５の前端部を閉塞しかつ溝形梁４５より上方に突出している。溝形梁４５の後端面には、位置決突起４５Ａと位置決孔４５Ｂと螺子孔４５Ｃとが形成されている。そして、溝形梁４５の位置決突起４５Ａ及び位置決孔４５Ｂを、ベースプレート４２（図２参照）の図示しない位置決突孔及び位置決突起に凹凸係合してベースプレート４２の前面に溝形梁４５の後端面を接合し、ベースプレート４２の図示しない螺子挿通孔に後方から通した螺子を溝形梁４５の螺子孔４５Ｃに締め付けて球誘導部材４４がベースプレート４２に固定されている。その固定状態で、フロントプレート４６の上端部は、図２に示すように、上端膨出部４３より若干下方に配置され、球通過孔４２Ａにおける上端寄り位置から下端部までを前方から覆っている。
【００２７】
図３に示すように、フロントプレート４６の後面には、上下及び左右方向の中央からセンター突片４７が後方に向かって突出している。また、センター突片４７の上面における両側縁部には、１対の上側三角リブ４７Ａ，４７Ａが突出形成されてフロントプレート４６の後端面に接続され、センター突片４７の下面における両側縁寄り位置には、１対の下側三角リブ４７Ｂ，４７Ｂが突出形成されてフロントプレート４６の後端面に接続されている。また、１対の下側三角リブ４７Ｂ，４７Ｂの後端角部は、センター突片４７の後端面４７Ｃより後方に突出している。そして、センター突片４７の後端面４７Ｃの左右両端部がベースプレート４２（図２参照）の前面に突き当てられると共に、下側三角リブ４７Ｂ，４７Ｂのうちセンター突片４７の後端面４７Ｃより後方に突出した後端角部が、球通過孔４２Ａ（図２参照）における上下方向の中間位置に突入している。また、１対の上側三角リブ４７Ａ，４７Ａの間は、遊技球が進入可能な大きさになっていて、センター突片４７の上面はベースプレート４２に向かって下るように傾斜している。これにより、１対の上側三角リブ４７Ａ，４７Ａの間に転落した遊技球はセンター突片４７上を後方に転動する。
【００２８】
図３に示すように、フロントプレート４６の後面のうち左右方向の両端部における上端寄り位置には、それぞれ軸受筒部４８，４８が形成されると共に、各軸受筒部４８に対して斜め内側上方位置には、各軸受筒部４８を中心とした扇形状のストッパ突部４９が突出形成されている。また、ベースプレート４２（図２参照）のうち１対の軸受筒部４８，４８の同軸上には、図示しない１対の軸受孔が形成されている。そして、フロントプレート４６の軸受筒部４８とベースプレート４２の軸受孔とに各可動翼片１４Ｃが回動可能に支持されている。
【００２９】
各可動翼片１４Ｃは、鉛直に起立した平板壁５０Ａの上下端部の間を湾曲壁５０Ｂで連絡し、それら平板壁５０Ａ及び湾曲壁５０Ｂに囲まれた空間の前面を前面装飾壁５１（図４参照）で覆った構造になっている。そして、平板壁５０Ａと湾曲壁５０Ｂとの間が下端から上端に向かって徐々に先細りになっている。また、１対の可動翼片１４Ｃ，１４Ｃは互いに左右対称形状になっていて、平板壁５０Ａを互いに対向させた状態に配置されている。そして、図２に示すように、１対の可動翼片１４Ｃ，１４Ｃに左右方向で挟まれ、ベースプレート４２とフロントプレート４６に前後方向で挟まれて上方に開放した凹部が、第２の始動入賞口１４Ｂになっている。
【００３０】
図４に示すように、可動翼片１４Ｃの前面には、前面装飾壁５１の下端寄り位置に、段付き状に陥没した前面凹部５１Ａが形成され、その前面凹部５１Ａの奥面のうち平板壁５０Ａから離れた位置から前回動軸５２Ａが突出している。また、図３に示すように、湾曲壁５０Ｂの内面には、前回動軸５２Ａの同軸上に延びた第１円柱部５２Ｃが一体形成され、その第１円柱部５２Ｃが可動翼片１４Ｃの後面から僅かに突出し、さらに、その第１円柱部５２Ｃの後端面同軸上に後回動軸５２Ｂが突出形成されている。そして、前回動軸５２Ａが、フロントプレート４６の軸受筒部４８の内側に挿入される一方、後回動軸５２Ｂが、ベースプレート４２（図２参照）の軸受孔（図示せず）に挿入された状態になって可動翼片１４Ｃがベースプレート４２及び球誘導部材４４を含むベース部材４１に回動可能に軸支されている。
【００３１】
また、ストッパ突部４９は、可動翼片１４Ｃの前面凹部５１Ａ内に受容され、図５に示すように、可動翼片１４Ｃの平板壁５０Ａが鉛直姿勢になったときにストッパ突部４９の一端面が前面凹部５１Ａの段差面に当接して位置決めされると共に、図６に示すように、可動翼片１４Ｃの平板壁５０Ａが横外側に倒れ、球誘導部材４４の中央に向かって下るように傾斜した傾斜姿勢になったときにストッパ突部４９の他端面が前面凹部５１Ａの段差面に当接して位置決めされる。ここで、平板壁５０Ａが鉛直姿勢になったときの可動翼片１４Ｃの位置が、本発明に係る「閉位置」に相当し、平板壁５０Ａが傾斜姿勢になったときの可動翼片１４Ｃの位置が、本発明に係る「開位置」に相当する。
【００３２】
ここで、両可動翼片１４Ｃ，１４Ｃが起立状態になると、即ち、両可動翼片１４Ｃ，１４Ｃが閉位置に配置されると、それら両可動翼片１４Ｃ，１４Ｃの間隔は、第２の始動入賞口１４Ｂと同じ、遊技球が１つだけ入る大きさとなる。そして、それら両可動翼片１４Ｃ，１４Ｃの上端部の上方には、遊技球１つ分より近い位置に第１の始動入賞口１４Ａを形成するための上端膨出部４３が位置している。これにより、両可動翼片１４Ｃ，１４Ｃが閉位置に配置されたときには、第２の始動入賞口１４Ｂへの遊技球の入球が規制される。また、両可動翼片１４Ｃ，１４Ｃが横に倒れて開いた状態になると、即ち、両可動翼片１４Ｃ，１４Ｃが開位置に配置されると、可動翼片１４Ｃ，１４Ｃにおける平板壁５０Ａ，５０Ａの外面が、それらの間の第２の始動入賞口１４Ｂに向かって下るように傾斜した状態になり、可動翼片１４Ｃ，１４Ｃをガイドにして遊技球が第２の始動入賞口１４Ｂに入球し易くなる。
【００３３】
図３に示すように、可動翼片１４Ｃのうち平板壁５０Ａの下端部と湾曲壁５０Ｂとが交差する内側角部には、第２円柱部５３Ｃが一体形成され、その第２円柱部５３Ｃが可動翼片１４Ｃの後面から僅かに突出し、さらに、その第２円柱部５３Ｃの後端面同軸上にレバー連結突起５３が突出形成されている。レバー連結突起５３は、円柱状をなし後回動軸５２Ｂより後方に長くなっている。そして、可動翼片１４Ｃが前後の回動軸５２Ａ，５２Ｂを中心に回動すると、レバー連結突起５３が円弧を描きながら、図７及び図８に示すように上下方向に移動する。それらレバー連結突起５３の可動範囲に合わせて、ベースプレート４２には、後回動軸５２Ｂを中心として湾曲した円弧状の図示しない長孔が形成されている。そして、各レバー連結突起５３が長孔を介してレバー連結突起５３がベースプレート４２より後方に突出している。
【００３４】
図２に示すように、ベース部材４１には、ベースプレート４２の後方に機構ケース５４（本発明に係る「カバー部」に相当する）を備えている。そして、ベースプレート４２の後面のうち左右方向における中央寄り位置からは、後方に複数の連結梁４２Ｈが延ばされ、それら連結梁４２Ｈの先端面と機構ケース５４の両側面（図２には、一方の側面のみが示されている）から側方に張り出した側面突部５５Ｈとが重ねられてビスにて固定されている。
【００３５】
機構ケース５４の内部には、図３に示した中継回動部材５５が収容されかつ回動可能に支持されている。そして、その中継回動部材５５が両可動翼片１４Ｃ，１４Ｃのレバー連結突起５３，５３に連結されている。具体的には、中継回動部材５５は、１対の回動レバー５６，５６を左右方向で対向配置して連絡壁５７にて連結した構造になっている。また、各回動レバー５６は、前後方向に延びた第１アーム部５６Ａと、その第１アーム部５６Ａの後端部寄り位置から上方に延びた第２アーム部５６Ｂとを有して略Ｌ字形になっている。そして、両回動レバー５６，５６の両第１アーム部５６Ａにおける後端下縁部の間に連絡壁５７が差し渡されている。また、両回動レバー５６，５６のうち対向面と反対側の面には、第１と第２のアーム部５６Ａ，５６Ｂの交差位置に、回動軸５８がそれぞれ形成されている。そして、それら両回動レバー５６，５６の両回動軸５８，５８が機構ケース５４に軸支されて中継回動部材５５が機構ケース５４内で回動する。
【００３６】
図７に示すように、各回動レバー５６の第１アーム部５６Ａの先端部は二股構造になって上下に対向した１対の挟持対向壁５９Ａ，５９Ｂを備えている。上側の挟持対向壁５９Ａは、内面先端部から下方に膨出した円弧突部５９Ｃを有し、その円弧突部５９Ｃの膨出湾曲面が挟持対向壁５９Ａの先端の円弧面に連続した形状になっている。また、下側の挟持対向壁５９Ｂは、先端の円弧面の接線方向に延びた平坦な内面を備えている。そして、それら１対の挟持対向壁５９Ａ，５９Ｂの間でレバー連結突起５３が上下方向で挟持され、円弧突部５９Ｃがレバー連結突起５３に上方から突き合わされている。
【００３７】
図３に示すように、両回動レバー５６，５６における両第２アーム部５６Ｂ，５６Ｂの先端部内面からは、本発明に係る連結突部６０，６０が突出形成されている。連結突部６０，６０は、円柱形状をなして同軸上に配置されている。なお、各第２アーム部５６Ｂの先端面は、第２アーム部５６Ｂの長手方向に対して後側に向かって下るように傾斜している。また、連結突部６０は、その軸方向から見ると、図７に示すように第２アーム部５６Ｂの先端面と後端面とに内接する位置に配置されている。
【００３８】
図３に示すように、回動レバー５６，５６の間には、第１及び第２の賞球センサ６１，６２が配置されている。第１の賞球センサ６１は、偏平形状のブロック体の一端部に遊技球が通過可能な検出孔６１Ａを備えた構造になっている。第２の賞球センサ６２も同様の構造をなし、検出孔６２Ａを備えている。
【００３９】
図６に示すように、第１の賞球センサ６１は、検出孔６１Ａを前側に配置して水平前後方向に延びた状態になって、回動レバー５６，５６の間の領域における後寄り位置に配置されている。そして、第１の始動入賞口１４Ａ（図２参照）に入賞した遊技球が機構ケース５４（図２参照）に備えた図示しないガイド部に案内されて、第１の賞球センサ６１の検出孔６１Ａを通過して検出される。
【００４０】
図４に示すように、第２の賞球センサ６２は、検出孔６２Ａを後側に配置して前下がりに傾斜した状態とされ、前側部分が球誘導部材４４における下側三角リブ４７Ｂ，４７Ｂの傾斜面に下方から宛がわれると共に、後側部分がベースプレート４２の球通過孔４２Ａ（図２参照）を貫通して回動レバー５６，５６の間に配置されている。そして、第２の賞球センサ６２の検出孔６２Ａ（図３参照）が球通過孔４２Ａの奥部に位置し、第２の始動入賞口１４Ｂに入賞して球通過孔４２Ａを通過した遊技球が、第２の賞球センサ６２の検出孔６２Ａを通過して検出される。
【００４１】
図２に示すように、機構ケース５４の後端面には、直動駆動源６５が組み付けられている。図９（Ｂ）に示すように、直動駆動源６５は、ソレノイド６６の内側にプランジャ６７を挿入して備えている。ソレノイド６６は、円筒状をなして前後方向に延び、継鉄６６Ａにて囲まれている。その継鉄６６Ａは、Ｕ字状に湾曲させたＵ字鉄板６６Ｂの先端間に矩形鉄板６６Ｃを差し渡してなり、Ｕ字鉄板６６Ｂの奥面をソレノイド６６の後端面に宛がい、矩形鉄板６６Ｃをソレノイド６６の前端面に宛がった状態にされ、これによりソレノイド６６の周りに継鉄６６Ａによる環状の磁路が形成されている。そして、矩形鉄板６６Ｃのうちソレノイド６６の同軸上に形成された図示しない貫通孔を通して、プランジャ６７がソレノイド６６内に挿入されている。
【００４２】
プランジャ６７は断面円形の棒状をなし、プランジャ６７の先端からは側方に円板状のフランジ６７Ｆが張り出している。また、プランジャ６７の外側には圧縮コイルバネ６８が挿通され、その圧縮コイルバネ６８がフランジ６７Ｆと矩形鉄板６６Ｃとの間で挟まれている。そして、ソレノイド６６を励磁すると、図６に示すように、プランジャ６７がソレノイド６６内に引き込まれると共に圧縮コイルバネ６８が圧縮変形し、そのソレノイド６６の励磁を停止すると、図５に示すように、圧縮コイルバネ６８の弾発力によってプランジャ６７が前方に移動する。
【００４３】
図２に示すように、直動駆動源６５を機構ケース５４に組み付けるために、その機構ケース５４の後端面における上端部には、プランジャ挿通孔（図示せず）が貫通形成されて、そこにプランジャ６７が挿通されると共に、継鉄６６Ａの前端面が機構ケース５４の後端面に宛がわれている。また、機構ケース５４の後端面には、継鉄６６Ａを左右方向で間に挟むように１対の後端突片５５Ｔ（図２には、一方の後端突片５５Ｔのみが示されている）が突出している。そして、後端突片５５Ｔ，５５Ｔに貫通係止された螺子挿通孔５５Ｎと継鉄６６ＡのＵ字鉄板６６Ｂに形成された雌螺子孔６６Ｎ（図９参照）とを整合させた状態にして螺子止めされている。
【００４４】
機構ケース５４内でプランジャ６７の先端部には、図９（Ｂ）に示したプランジャ先端装着部材７０が装着されている。そして、プランジャ６７とプランジャ先端装着部材７０によって直動駆動源６５の直動出力部６５Ｓが構成されている。
【００４５】
プランジャ先端装着部材７０は、プランジャ６７の先端部にその軸方向と直交する方向（側方）から装着されている。具体的には、プランジャ先端装着部材７０は、フランジ６７Ｆと平行な平板部７１を備え、その平板部７１の後方にＵ字形溝壁７２が突出し、そのＵ字形溝壁７２の後端縁全体から内側に係止突条７３が突出している。そして、係止突条７３と平板部７１との間の隙間が上方に向かって開放され、その隙間にフランジ６７Ｆの外縁部が押し込まれて、プランジャ先端装着部材７０がプランジャ６７に軸方向で係止している。
【００４６】
Ｕ字形溝壁７２のうち互いに対向した１対の対向片部７２Ａ，７２Ａは、下方に延長されて、Ｕ字形溝壁７２の下端湾曲部７２Ｂの両側方に配置された１対のスライド脚部７２Ｃ，７２Ｃになっている。そして、これら１対のスライド脚部７２Ｃ，７２Ｃが、機構ケース５４（図２参照）内の図示しないガイド溝にスライド係合している。これにより、プランジャ先端装着部材７０は、前後の移動が許容された状態で、上下左右方向の移動及びプランジャ６７周りの回転が規制されている。
【００４７】
図９（Ｂ）に示すように、プランジャ先端装着部材７０における左右の両側面には、それぞれ側面突部７４，７４が一体形成されている。側面突部７４は、略長円形の平板をプランジャ先端装着部材７０の側面に重ね、その一端部がプランジャ先端装着部材７０から前方に突出した形状になっている（図９（Ａ）参照）。また、側面突部７４の形状である略長円の長軸は前下がりに傾斜している。
【００４８】
各側面突部７４には、本発明に係る連結孔７５が陥没形成されている。連結孔７５は、長孔の長手方向の一端部を幅方向の一方側に広げた形状をなし、プランジャ先端装着部材７０の側方を向いて開放している。詳細には、図１２に示すように、連結孔７５の長円の長軸Ｊ１は、側面突部７４の前記長軸と同様に前下がりに傾斜している。そして、連結孔７５の幅方向で対向した内面のうち前側の内面全体が、本発明に係る摺接許容部７５Ａになっている。その摺接許容部７５Ａは、連結孔７５の長円の長軸Ｊ１と平行に前下がりに傾斜している。また、連結孔７５の後側の内面における上端部を後側に広げるように湾曲させて本発明に係る不正禁止係合部７５Ｂが形成されている。また、不正禁止係合部７５Ｂの下方には、摺接許容部７５Ａと平行になって前下がりに傾斜した復帰用摺接許容部７５Ｃが備えられている。なお、摺接許容部７５Ａの下端部と復帰用摺接許容部７５Ｃの下端部との間は半円形の円弧面７５Ｄになっている。また、その円弧面７５Ｄと同曲率の円弧面７５Ｅが摺接許容部７５Ａの上端部と不正禁止係合部７５Ｂの上端部との間にも形成されている。
【００４９】
図１０に示すように、各連結孔７５には各回動レバー５６の連結突部６０が受容され、これにより直動駆動源６５の直動出力６５Ｓに中継回動部材５５が連結されている。上記の構成により、ソレノイド６６が励磁されて、プランジャ６７がソレノイド６６内に引き込まれると、図５から図６への変化に示すように、回動レバー５６の第２アーム部５６Ｂが後方に引かれて回動軸５８を中心に回動し、これに伴って第１アーム部５６Ａが上方に移動してレバー連結突起５３を押し上げる。これにより、１対の可動翼片１４Ｃ，１４Ｃが図６に示すように左右に開く。
【００５０】
詳細には、１対の可動翼片１４Ｃ，１４Ｃが閉位置に配置されているときには、図１０に示すように、連結突部６０が連結孔７５内の上端部に配置されている。この状態で、回動レバー５６の第２アーム部５６Ｂがプランジャ６７によって後方に引かれると、図１２に示すように、連結孔７５における前側の摺接許容部７５Ａが連結突部６０を押圧する。このとき、連結突部６０は後方に移動すると共に第２アーム部５６Ｂの回動と共に下方にも移動し、摺接許容部７５Ａと摺接する。ここで、摺接許容部７５Ａは滑らかに斜め前側下方に延びているので連結突部６０はスムーズに摺接許容部７５Ａに沿って斜め下方に摺接移動し、この結果、図１１に示すように、第２アーム部５６Ｂが後側に回動して、図６に示すように、１対の可動翼片１４Ｃ，１４Ｃが左右に開く。
【００５１】
ソレノイド６６の励磁を停止し、圧縮コイルバネ６８の弾発力により、図６から図５への変化に示すように、プランジャ６７が前方に移動すると、回動レバー５６の第２アーム部５６Ｂが前方に押されて回動軸５８を中心に回動し、これに伴って第１アーム部５６Ａが下方に移動してレバー連結突起５３を押し下げる。これにより、１対の可動翼片１４Ｃ，１４Ｃが図２に示すように閉じて起立状態になる。
【００５２】
詳細には、図１１に示すように、１対の可動翼片１４Ｃ，１４Ｃが開位置に配置されているときには、連結突部６０は、連結孔７５内の下端部に配置されている。この状態で、圧縮コイルバネ６８の弾発力により回動レバー５６の第２アーム部５６Ｂが前方に押されると、連結孔７５における後側の復帰用摺接許容部７５Ｃが連結突部６０を押圧する。ここで、復帰用摺接許容部７５Ｃは摺接許容部７５Ａと平行になって滑らかに斜め後側上方に延びているので連結突部６０はスムーズに復帰用摺接許容部７５Ｃと摺動して上方に移動し、不正禁止係合部７５Ｂに進入して連結孔７５の上端部まで移動する。この結果、第２アーム部５６Ｂが前側に回動して、図５に示すように、１対の可動翼片１４Ｃ，１４Ｃが閉じる。
【００５３】
さて、可動翼片１４Ｃ，１４Ｃが閉位置に配置された状態で、例えば、工具等により可動翼片１４Ｃ，１４Ｃの上端部を不正に引っ張って開位置に移動しようとした場合、連結突部６０が連結孔７５の上端部で後方に移動して、連結孔７５における後側の不正禁止係合部７５Ｂに受容される。この状態で、さらに可動翼片１４Ｃの不正開放操作により第２アーム部５６Ｂが回動力を受けても、連結突部６０は不正禁止係合部７５Ｂの内面で受け止められて、連結孔７５内を斜め下方には移動できず、回動レバー５６の回動が規制され、可動翼片１４Ｃ，１４Ｃは閉位置に保持される。
【００５４】
なお、図１２及び図１３において架空の第１基準線Ｋ１は、復帰用摺接許容部７５Ｃを延長した線であって、直動駆動源６５を駆動して連結突部６０が摺接許容部７５Ａに当接したときには、連結突部６０は第１基準線Ｋ１から離間し、不正禁止係合部７５Ｂの内面と干渉することなく摺接許容部７５Ａに沿って移動することができる。また、ソレノイド６６の励磁を停止した場合、連結突部６０が復帰用摺接許容部７５Ｃに摺接せずに、可動翼片１４Ｃが自重によって起立姿勢に戻るようにしてもよい。さらに、本実施形態では、可動翼片１４Ｃ，１４Ｃは、通常は、閉位置に配置され（起立状態になっていて）、上記した普通図柄表示部１７で停止表示された数字図柄が奇数の場合に、可動翼片１４Ｃ，１４Ｃが所定期間（例えば、０．４秒間）に亘って開くように直動駆動源６５が制御されている。
【００５５】
本実施形態のパチンコ遊技機１０の構成に関する説明は以上である。次に、本実施形態のパチンコ遊技機１０の作用効果について説明する。操作ノブ２８（図１参照）を操作して遊技球が遊技領域Ｒ１に打ち込まれ、ランダムに流下した遊技球の一部が第１又は第２の始動入賞口１４Ａ，１４Ｂに入球すると、大当たり遊技の判定が行われる。そして、その判定結果が大当たりであって、液晶表示部２４Ｇにぞろ目が表示されると、開閉扉１５Ｔを回動して大入賞口１５が所定期間に亘って開放され、通常時より、多量の賞球が上皿２６に払い出される。
【００５６】
ここで、第１の始動入賞口１４Ａは遊技球が入球し難い場所に配置されると共に、第２の始動入賞口１４Ｂは通常、可動翼片１４Ｃ，１４Ｃによって入球が規制されている。しかしながら、始動ゲート１８を遊技球が通過し、抽選の結果、普通図柄表示部１７に所定の数字図柄が停止表示された場合に、直動駆動源６５に通電されて可動翼片１４Ｃ，１４Ｃが所定期間（例えば、０．４秒間）に亘って開く。そして、可動翼片１４Ｃ，１４Ｃが開くと、それら可動翼片１４Ｃ，１４Ｃをガイドにして第２の始動入賞口１４Ｂに通常時より多くの遊技球が入球し、より多くの大当たり遊技の判定が行われることになり、多量の賞球を獲得する確率が高くなる。このため、針金等を前面枠３９の内側に進入させて、可動翼片１４Ｃ，１４Ｃを不正に開く不正行為が行われる場合がある。
【００５７】
しかしながら、本実施形態のパチンコ遊技機１０に備えた始動入賞ユニット４０（図２参照）では、直動駆動源６５を駆動した場合には、前述の如く、直動駆動源６５と可動翼片１４Ｃ，１４Ｃとの間に設けた連結突部６０と連結孔７５の内面とがスムーズに摺接して、直動駆動源６５の直動出力部６５Ｓと可動翼片１４Ｃ，１４Ｃとが連動し、可動翼片１４Ｃ，１４Ｃが閉位置から開位置に移動するが、可動翼片１４Ｃ，１４Ｃを不正に開放操作した場合には、図１３に示すように、連結突部６０が連結孔７５内の不正禁止係合部７５Ｂに係合し、連結突部６０が連結孔７５の内面と摺接できなくなって、直動駆動源６５の直動出力部６５Ｓと可動翼片１４Ｃ，１４Ｃとが連動しなくなり、可動翼片１４Ｃ，１４Ｃが閉位置に保持される。これにより、不正な賞球の獲得を防ぐことができる。
【００５８】
また、この始動入賞ユニット４０では、各回動レバー５６が可動翼片１４Ｃ，１４Ｃと別部品とされると共に、回動軸５８から前方に突出して可動翼片１４Ｃに連結された第１アーム部５６Ａと、回動軸５８から上方に突出してプランジャ６７に連結された第２アーム部５６Ｂとを有した構造になっているので、可動翼片１４Ｃに対する直動駆動源６５の配置の自由度が高くなる。即ち、第１と第２のアーム部５６Ａ，５６Ｂの長さを適宜設定して、可動翼片１４Ｃに対して前後方向及び上下方向の任意の位置に直動駆動源６５を配置することができ、可動翼片１４Ｃに対する直動駆動源６５の配置の自由度が高くなる。
【００５９】
さらに、本実施形態のパチンコ遊技機１０では、プランジャ６７を回動レバー５６の回動に変換するための連結突部６０及び連結孔７５を、プランジャ６７を間に挟んで左右対称に配置したので、それら連結突部６０及び連結孔７５を１組だけ設けた場合に比べて負荷が分散されて変形が防がれる。その上、回動レバー５６及び直動駆動源６５の直動出力部６５Ｓを囲んだ機構ケース５４により、それら回動レバー５６及び直動出力部６５Ｓに対する不正操作が防がれる。
【００６０】
［第２実施形態］
本実施形態は、プランジャ６７の先端部に装着されたプランジャ連結部材９０の構成が主として第１実施形態と異なる。
【００６１】
具体的には、図１４（Ｂ）に示すように、プランジャ連結部材９０には、プランジャ６７に嵌合されて先端フランジ６７Ｆに対向し、圧縮コイルバネ６８の一端が当接した対向リング９１が備えられている。対向リング９１の中央には貫通孔９１Ａ（図１４（Ａ）参照）が形成され、対向リング９１のうち１８０度離れた２位置からは先端フランジ６７Ｆに向かって１対の突当突部９２，９３が突出している。それら突当突部９２，９３の側面は、鉛直方向と平行な鉛直面になっている。
【００６２】
プランジャ連結部材９０は、対向リング９１の貫通孔９１Ａにプランジャ６７を挿通して突当突部９２，９３の先端面が先端フランジ６７Ｆに面当接した状態に組み付けられている。これにより、プランジャ６７の先端部には、対向リング９１と先端フランジ６７Ｆとが対向した連結凹部８０Ｚが左右対称に形成されている。また、先端フランジ６７Ｆのうち連結凹部８０Ｚ内で対向リング９１と対向した部分は摺接許容部８１Ｚになっている。さらに、対向リング９１のうち突当突部９２，９３の間で先端フランジ６７Ｆ（図１４（Ａ）参照）と対向する部分には、下方の突当突部９３側を段付き状に先端フランジ６７Ｆ側に突出させてストッパ突部９４が形成され、対向リング９１のうちストッパ突部９４より上方部分が陥没部９５（本発明に係る「不正禁止係合部」に相当する）になっている。
【００６３】
連結凹部８０Ｚの形状に伴って、１対の連結突部６０Ｚ，６０Ｚの形状も第１実施形態と異なる。具体的には、各連結突部６０Ｚは、回動レバー５６の第２アーム部５６Ｂの上端後縁部に設けられ、図１５に示すように、円柱体に下向きの第１平坦面６１Ｚと後ろ向きの第２平坦面６３Ｚとを形成した形状になっている。第１平坦面６１Ｚは円柱体に下方から接するように配置され、第２平坦面６２Ｚは円柱体に後方から接するように配置されていて、それら第１と第２の平坦面６１Ｚ，６３Ｚが互いに直交して角部６２Ｚを構成している。
【００６４】
なお、本実施形態では、回動レバー５６の第２アーム部５６Ｂ，５６Ｂの上端前縁部の間には連絡壁５７Ｂが差し渡され、中継回動部材５５の強度向上が図られている。本実施形態のその他の構成については、第１実施形態と同じ部位に同一符号を付し、重複する説明は省略する。
【００６５】
本実施形態の構成によれば、１対の可動翼片１４Ｃ，１４Ｃが閉位置に配置されているときには、図１５に示すように、連結突部６０Ｚが連結凹部８０Ｚのうち陥没部９５の段差面９５Ｂより上方位置に配置されている。この状態で、回動レバー５６の第２アーム部５６Ｂがプランジャ６７によって後方に引かれると、連結凹部８０Ｚの内面のうち先端フランジ６７Ｆで構成された摺接許容部８１Ｚが連結突部６０Ｚの前側の円弧面を押圧する。このとき、連結突部６０Ｚは後方に移動すると共に第２アーム部５６Ｂの回動と共に下方にも移動し、摺接許容部８１Ｚと摺接する。ここで、摺接許容部８１Ｚは先端フランジ６７Ｆで構成され、滑らかな平坦面になっているので連結突部６０Ｚはスムーズに摺接許容部８１Ｚに沿って摺接移動し、この結果、図１６に示すように、第２アーム部５６Ｂが後側に回動して、１対の可動翼片１４Ｃ，１４Ｃが左右に開く。
【００６６】
可動翼片１４Ｃ，１４Ｃが閉位置に配置された状態で、不正開放操作を試みた場合、連結突部６０Ｚが連結凹部８０Ｚ内で後方に移動して、図１５に示すように、連結突部６０Ｚの第２平坦面６３Ｚが連結凹部８０Ｚにおける陥没部９５の底面９５Ａに当接する。この状態で、さらに可動翼片１４Ｃの不正開放操作により第２アーム部５６Ｂが回動力を受けても、連結突部６０Ｚの第１平坦面６１Ｚが陥没部９５の段差面９５Ｂに当接するので、連結凹部８０Ｚ内を斜め下方には移動できず、回動レバー５６の回動が規制され、可動翼片１４Ｃ，１４Ｃは閉位置に保持される。さらには、可動翼片１４Ｃを開こうとすると、連結突部６０Ｚの角部６２Ｚが陥没部９５の底面９５Ａと段差面９５Ｂとの角部に食い込み、可動翼片１４Ｃを開く力が増すに従って、連結突部６０Ｚと陥没部９５との係合が深まる。これにより、可動翼片１４Ｃの不正開放を禁止することができる。
【００６７】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６８】
（１）前記第１実施形態では、連結突部６０の外周面が連結軸７５における不正禁止係合部７５Ｂの円弧面に当接する構成であったが、図１７に示すように、プランジャ６７の直動方向と平行な水平面７５Ｘと、プランジャ６７の直動方向と直交した鉛直面７５Ｙとを備えた不正禁止係合部７５Ｗを設け、それら水平面７５Ｘと鉛直面７５Ｙに連結突部６０の外周面が内接する構成にしてもよい。
【００６９】
（２）また、図１８に示すように、不正禁止係合部７５Ｂ内に係合突起７５Ｖを設け、連結突部６０に形成した係合溝６０Ｖに係合する構成にしてもよい。
【００７０】
（３）図１９に示したプランジャ連結部材９０Ｙのように、対向リング９１に複数の係合突部８２Ｙ（本発明の「不正禁止係合部」に相当する）を形成すると、それら係合突部８２Ｙと係合する複数の係合凹部６３Ｙを連結突部６０Ｙに係合して、連結突部６０Ｙが対向リング９１を摺接移動できない構成にしてもよい
【００７１】
（４）図２０に示すように、連結突部６０Ｗが陥没部９５における底面９５Ａと段差面９５Ｂとに当接して、摺接移動が規制される構成にしてもよい。
【００７２】
（５）前記実施形態では、直動駆動源６５としてソレノイド６６とプランジャ６７を主要部としたものを励磁したが、例えば、モータとラックアンドピニオン機構とを主要部とした直動駆動源を用いてもよい。
【００７３】
（６）前記実施形態では、ベース部材４１は始動入賞ユニット４０に備えられていたが、遊技板１１に直接取り付けられていてもよい。
【００７４】
（７）前記実施形態では、連結凹部８０Ｚがプランジャ連結部材７０とプランジャ６７の先端部とで形成される構成であったが、例えば、プランジャ６７に取り付けられてプランジャ６７と同方向に直動するシャフトに、側方に張り出したフランジを２つ設けて連結凹部８０Ｚを形成してもよい。
【符号の説明】
【００７５】
１０    パチンコ遊技機
１４Ａ，１４Ｂ  第１及び第２の始動入賞口
１４Ｃ  可動翼片
４０    始動入賞ユニット
４１    ベース部材
５４    機構ケース（カバー部）
５５    中継回動部材
５６    回動レバー
５６Ａ  第１アーム部
５６Ｂ  第２アーム部
６０，６０Ｗ，６０Ｙ，６０Ｚ    連結突部
６５    直動駆動源
６５Ｓ  直動出力部
６６    ソレノイド
６７    プランジャ
６７Ｆ  フランジ
７０    プランジャ先端装着部材
７５    連結孔
７５Ａ，８１Ｚ  摺接許容部
７５Ｂ  不正禁止係合部
７５Ｃ  復帰用摺接許容部
８０Ｚ    連結凹部
８２    係合突部（不正禁止係合部）
９０，９０Ｗ，９０Ｙ    プランジャ連結部材
９１    対向リング
９２，９３    突当突部
９４    ストッパ突部
９５    陥没部
９５Ａ    底面
９５Ｂ    段差面
【図１】
0005222993.tif 000002
【図２】
0005222993.tif 000003
【図３】
0005222993.tif 000004
【図４】
0005222993.tif 000005
【図５】
0005222993.tif 000006
【図６】
0005222993.tif 000007
【図７】
0005222993.tif 000008
【図８】
0005222993.tif 000009
【図９】
0005222993.tif 000010
【図１０】
0005222993.tif 000011
【図１１】
0005222993.tif 000012
【図１２】
0005222993.tif 000013
【図１３】
0005222993.tif 000014
【図１４】
0005222993.tif 000015
【図１５】
0005222993.tif 000016
【図１６】
0005222993.tif 000017
【図１７】
0005222993.tif 000018
【図１８】
0005222993.tif 000019
【図１９】
0005222993.tif 000020
【図２０】
0005222993.tif 000021